(57)【要約】【課題】投光角度を調整可能な発光ダイオード照明具の提供。【解決手段】投光角度を調整可能な発光ダイオード照明具は、カバー状の照明具ハウジング１０内に、少なくとも２組の可動光源部２０を設置し、２組の可動光源部２０の光源ベース２１凸体２３は、照明具ハウジング１０端面板１３上に可動設置され、揺動可能となり、ネジ孔２４は端面板１３長円孔１５位置と、ネジ孔２４に螺合し、揺動後の光源ベース２１を固定し、こうして２組の可動光源部２０の光源PCBパネル２２上の発光ダイオード２２０が投射する光は、環境や場所の必要に応じて、照明の投光角度と範囲を簡易に調整或いは設定可能となる。【選択図】図２
0003152852.tif 000002
【実用新案登録請求の範囲】
【請求項１】
カバー状の照明具ハウジング内に、少なくとも２組の可動光源部を設置し、
前記照明具ハウジングは、メインハウジングパネルを備え、
前記メインハウジングパネル前後には、側面板をそれぞれ延伸し、しかも、前記メインハウジングパネルと前記側面板の両端には、端面板をそれぞれ設置し、前記２枚の端面板上には、２個の可動設置孔を相対してそれぞれ設置し、しかも、前記各可動設置孔を中心として、２個の長円孔を相対してそれぞれ設置し、
前記２組の可動光源部は、それぞれ光源ベースの一面に光源PCBパネルを設置して構成し、
前記各光源ベース両端の片側には、前記照明具ハウジング端面板上の可動設置孔に対応して、凸体をそれぞれ設置し、前記凸体は前記可動設置孔と可動設置し、前記各光源ベース反対側は、前記長円孔に対応して、ネジ孔をそれぞれ設置し、前記長円孔にネジを通過させ、前記ネジ孔上に螺合し、
前記光源PCBパネル上には、多数の発光ダイオードを備え、前記照明具ハウジング上に設置する制御回路板と電気的に連接し、点灯、消灯の制御を行ない、
前記２組の可動光源部の光源ベース凸体は、前記照明具ハウジング端面板の可動設置孔上に可動設置され、揺動可能となり、
前記ネジは、前記端面板の長円孔位置において、前記ネジ孔と螺合し、揺動後の光源ベースを固定し、
こうして前記２組の可動光源部の光源PCBパネル上の発光ダイオードが投射する光は、環境や場所の必要に応じて、照明の投光角度と範囲を簡易に調整或いは設定可能となることを特徴とする投光角度を調整可能な発光ダイオード照明具。
【請求項２】
カバー状の照明具ハウジング内に、少なくとも２組の可動光源部を設置し、
前記照明具ハウジングは、メインハウジングパネルを備え、
前記メインハウジングパネル前後には、側面板をそれぞれ延伸し、しかも、前記メインハウジングパネルと前記側面板の両端には、端面板をそれぞれ設置し、前記２枚の端面板上には、２個の可動設置孔を相対してそれぞれ設置し、しかも、前記各可動設置孔を中心として、２個の長円孔を相対してそれぞれ設置し、
前記２組の可動光源部は、それぞれ光源ベースの一面に光源PCBパネルを設置して構成し、
前記各光源ベース両端の片側には、前記照明具ハウジング端面板上の可動設置孔に対応して、凸体をそれぞれ設置し、前記凸体は前記可動設置孔と可動設置し、前記各光源ベース反対側は、前記長円孔に対応して、ネジ孔をそれぞれ設置し、前記長円孔にネジを通過させ、前記ネジ孔上に螺合し、
前記光源PCBパネル上には、多数の発光ダイオードを備え、前記照明具ハウジング上に設置する制御回路板と電気的に連接し、点灯、消灯の制御を行ない、
前記２組の可動光源部の光源ベース凸体は、前記照明具ハウジング端面板の可動設置孔上に可動設置され、揺動可能となり、
前記ネジは、前記端面板の長円孔位置において、前記ネジ孔と螺合し、揺動後の光源ベースを固定し、
こうして前記２組の可動光源部の光源PCBパネル上の発光ダイオードが投射する光は、環境や場所の必要に応じて、照明の投光角度と範囲を簡易に調整或いは設定可能となることを特徴とする投光角度を調整可能な発光ダイオード照明具。
【請求項３】
前記各可動光源部の光源ベース両端には、それぞれ固定片を備え、これにより、前記光源ベース両端のネジ孔は、前記固定片上にそれぞれ設置され、
前記光源ベースの揺動により、前記固定片上のネジ孔は、前記長円孔に沿って移動するネジにより固定され、
こうして、前記光源ベースは、前記照明具ハウジングの側面板により押し出され、これにより前記光源ベース上の光源PCBパネルは、前記側面板と水平の状態で、多種の投光角度の調整或いは設定を行なうことができることを特徴とする請求項２に記載の投光角度を調整可能な発光ダイオード照明具。
【請求項４】
前記光源ベース両端の固定片上には、ネジ孔を設置し、前記光源ベース両端の固定片間には、さらに補助ブレードを設置し、
前記光源ベースが、前記照明具ハウジングの側面板により押し出されると、前記補助ブレードは、前記側面板の下縁を補填し、これにより前記光源ベースと前記側面板との間には、空隙が生じないことを特徴とする請求項３に記載の投光角度を調整可能な発光ダイオード照明具。
【請求項５】
前記照明具ハウジングのメインハウジングパネルと、前記側面板両端には、端面板をそれぞれ設置し、前記２枚の端面板は、２個の可動設置孔と２個の長円孔を相対してそれぞれ設置し、
前記２組の可動光源部の光源ベース両端の凸体を、前記可動設置孔上にそれぞれ可動設置し、これにより前記ネジ孔は、前記長円孔に沿って移動し、前記ネジにより螺合されて固定され、
前記２枚の端面板上の２組の可動光源部間には、さらに、２枚の端面板上に固定する１組の固定光源部を設置し、前記固定光源部は、前記照明具ハウジングメインハウジングパネルと平行な光源固定台により、前記光源固定台一面端の光源PCBパネルに設置して構成し、
しかも、前記光源PCBパネル上には、多数の発光ダイオードを備え、前記照明具ハウジング上の制御回路と電気的に連接し、点灯と消灯の制御を行ない、
前記２組の可動光源部は、前記端面板上において、投光角度と範囲の調整或いは設定を行い、前記固定光源部は、前記２組の可動光源部の間において、投光を補強することができ、こうして、照明具の照明の中間部分は、より明るくなることを特徴とする請求項１に記載の投光角度を調整可能な発光ダイオード照明具。
【請求項６】
前記固定光源部は、２枚の端面板上に固定し、前記２枚の端面板上には、２個の可動設置孔間において、少なくとも２個の固定孔を相対してそれぞれ設置し、
前記固定孔により、前記固定光源部の光源固定台は、水平に固定され、前記光源固定台は、前記２枚の端面板の固定孔上に水平に固定されるため、前記光源固定台両端は、前記各固定孔に相対して、凸嵌合体を備え、
前記凸嵌合体を前記固定孔に嵌合することで、前記光源固定台は、前記２枚の端面板上に簡単に固定を完成されることを特徴とする請求項５に記載の投光角度を調整可能な発光ダイオード照明具。
【考案の詳細な説明】
【技術分野】
【０００１】
本考案は環境や場所の必要に応じて、投光角度と範囲を簡易に調整、或いは設定可能な発光ダイオード照明具に関し、特に投光角度を調整可能な発光ダイオード照明具に関する。
【背景技術】
【０００２】
従来の蛍光灯は、光線を四周に散開する方式で光を発し、反射カバーを用いて、一定の範囲への輝度を高めている。
一方、発光ダイオード(LED)は、省エネ効果が高く、使用寿命が長い発光体で、半導体技術の向上により、モジュール化プロセスにより高いコストパフォーマンスを実現し、多数の発光ダイオードを集め組成する光源は、照明用途に広く利用されるようになっている。
【０００３】
発光ダイオードが構成する光源を、従来の蛍光灯に完全に置換するためには、製造コストを大幅に引き下げる必要がある他、以下の問題をも解決する必要がある。
それは、発光ダイオードの発光方式が投光方式である、という点から派生する。
多数の発光ダイオードを、PCBパネル上にモジュール化した後、照明の光源として利用する際に、従来の発光ダイオード照明具では、投光の範囲、角度を改変或いは調整できないため、はっきりとした明暗の対比が生まれてしまっていた。
この問題は、前端の透明カバー体設置の差異により、多種の投光角度の発光ダイオードがあり、これを様々に選択して利用することにより、改善することができる。
【０００４】
しかし、照明具使用の環境条件と照明位置の地面からの距離などの不確定素因があるため、どのタイプの投光角度の発光ダイオードを採用したとしても、すべての場所に適用可能という訳にはいかない。
広角投光の発光ダイオードは、照明の輝度を減損してしまうため、地面から比較的大きく離れた位置での光源には適さない。
一方、投光角度が小さい発光ダイオードは、照明の範囲が小さいため、地面から近い位置での光源には適していない。
【考案の概要】
【考案が解決しようとする課題】
【０００５】
本考案が解決しようとする課題は、投光角度を調整可能な発光ダイオード照明具を提供することである。
【課題を解決するための手段】
【０００６】
上記課題を解決するため、本考案は下記の投光角度を調整可能な発光ダイオード照明具を提供する。
投光角度を調整可能な発光ダイオード照明具は、カバー状の照明具ハウジング内に、少なくとも２組の可動光源部を設置し、
該照明具ハウジングは、メインハウジングパネルを備え、
該メインハウジングパネル前後には、側面板をそれぞれ延伸し、しかも、該メインハウジングパネルと該側面板の両端には、端面板をそれぞれ設置し、該２枚の端面板上には、２個の可動設置孔を相対してそれぞれ設置し、しかも、該各可動設置孔を中心として、２個の長円孔を相対してそれぞれ設置し、
該２組の可動光源部は、それぞれ光源ベースの一面に光源PCBパネルを設置して構成し、該各光源ベース両端の片側には、該照明具ハウジング端面板上の可動設置孔に対応して、凸体をそれぞれ設置し、該凸体は該可動設置孔と可動設置し、該各光源ベース反対側は、該長円孔に対応して、ネジ孔をそれぞれ設置し、該長円孔にネジを通過させ、該ネジ孔上に螺合し、
該光源PCBパネル上には、多数の発光ダイオードを備え、該照明具ハウジング上に設置する制御回路板と電気的に連接し、点灯、消灯の制御を行ない、
該２組の可動光源部の光源ベース凸体は、該照明具ハウジング端面板の可動設置孔上に可動設置され、揺動可能となり、
該ネジは、該端面板の長円孔位置において、該ネジ孔と螺合し、揺動後の光源ベースを固定し、
こうして該２組の可動光源部の光源PCBパネル上の発光ダイオードが投射する光は、環境や場所の必要に応じて、照明の投光角度と範囲を簡易に調整或いは設定可能となり、
該照明具ハウジングのメインハウジングパネル前後に、それぞれ延伸する側面板は、該端面板上の２個の長円孔の設置方向に相対し、該メインハウジングパネル上から下へと傾斜して延伸する斜板体により、該各可動光源部の光源ベース上の凸体は、該端面板の可動設置孔に可動設置し、揺動し、これにより、該ネジ孔は、該長円孔に沿って移動し、該ネジにより、該ネジ孔上に螺合して固定され、
該光源PCBパネルの投光角度の調整或いは設定を行なう時には、該光源PCBパネルは、投射する光線を調整し、該側面板を回避することができ、これにより、光線は阻害されることなく、外へと照射され、
該各可動光源部の光源ベース両端には、それぞれ固定片を備え、これにより、該光源ベース両端のネジ孔は、該固定片上にそれぞれ設置され、
該光源ベースの揺動により、該固定片上のネジ孔は、該長円孔に沿って移動するネジにより固定され、
こうして、該光源ベースは、該照明具ハウジングの側面板により押し出され、これにより該光源ベース上の光源PCBパネルは、該側面板と水平の状態で、多種の投光角度の調整或いは設定を行なうことができ、
該光源ベース両端の固定片上には、ネジ孔を設置し、該光源ベース両端の固定片間には、さらに補助ブレードを設置し、
該光源ベースが、該照明具ハウジングの側面板により押し出されると、該補助ブレードは、該側面板の下縁を補填し、これにより該光源ベースと該側面板との間には、空隙が生じず、
該照明具ハウジングのメインハウジングパネルと、該側面板両端には、端面板をそれぞれ設置し、該２枚の端面板は、２個の可動設置孔と２個の長円孔を相対してそれぞれ設置し、
該２組の可動光源部の光源ベース両端の凸体を、該可動設置孔上にそれぞれ可動設置し、これにより該ネジ孔は、該長円孔に沿って移動し、該ネジにより螺合されて固定され、
該２枚の端面板上の２組の可動光源部間には、さらに、２枚の端面板上に固定する１組の固定光源部を設置し、該固定光源部は、該照明具ハウジングメインハウジングパネルと平行な光源固定台により、該光源固定台一面端の光源PCBパネルに設置して構成し、
しかも、該光源PCBパネル上には、多数の発光ダイオードを備え、該照明具ハウジング上の制御回路と電気的に連接し、点灯と消灯の制御を行ない、
該２組の可動光源部は、該端面板上において、投光角度と範囲の調整或いは設定を行い、該固定光源部は、該２組の可動光源部の間において、投光を補強することができ、こうして、照明具の照明の中間部分は、より明るくなり、
該固定光源部は、２枚の端面板上に固定し、該２枚の端面板上には、２個の可動設置孔間において、少なくとも２個の固定孔を相対してそれぞれ設置し、
該固定孔により、該固定光源部の光源固定台は、水平に固定され、該光源固定台は、該２枚の端面板の固定孔上に水平に固定されるため、該光源固定台両端は、該各固定孔に相対して、凸嵌合体を備え、
該凸嵌合体を該固定孔に嵌合することで、該光源固定台は、該２枚の端面板上に簡単に固定を完成される。
【考案の効果】
【０００７】
本考案投光角度を調整可能な発光ダイオード照明具は、環境や場所の必要に応じて、投光角度と範囲を簡易に調整、或いは設定することができる。
【図面の簡単な説明】
【０００８】
【図１】本考案の外観見取り図である。
【図２】本考案構造の分解見取り図である。
【図３】本考案の端面板の平面見取り図である。
【図４】本考案の端面板位置構造の断面見取り図である。
【図５】本考案端面板上の長円孔にネジを設置する様子を示す断面見取り図である。
【図６】本考案可動光源部の揺動状態の見取り図である。
【図７】本考案可動光源部の第一投光角度の見取り図である。
【図８】本考案可動光源部の第二投光角度の見取り図である。
【図９】本考案可動光源部の第三投光角度の見取り図である。
【考案を実施するための形態】
【０００９】
以下に図面を参照しながら本考案を実施するための最良の形態について詳細に説明する。
【００１０】
図１、２に示すように、投光角度を調整可能な発光ダイオード照明具は、照明具ハウジング１０、可動光源部２０を備える。
カバー状の照明具ハウジング１０内には、少なくとも２組の可動光源部２０を設置する。
照明具ハウジング１０は、メインハウジングパネル１１を備える。
メインハウジングパネル１１前後には、側面板１２をそれぞれ延伸する。
しかも、メインハウジングパネル１１と側面板１２の両端には、端面板１３をそれぞれ設置する。
２枚の端面板１３上には、２個の可動設置孔１４を相対してそれぞれ設置する。
しかも、各可動設置孔１４を中心として、２個の長円孔１５を相対してそれぞれ設置する。  
【００１１】
２組の可動光源部２０は、それぞれ光源ベース２１の一面に光源PCBパネル２２を設置して構成する。
各光源ベース２１両端の片側には、図３、４に示すように、照明具ハウジング１０端面板１３上の可動設置孔１４に対応して、凸体２３をそれぞれ設置し、凸体２３は可動設置孔１４と可動設置する。
図１、２に示すように、各光源ベース２１反対側は、長円孔１５に対応して、ネジ孔２４をそれぞれ設置する。
図３、５に合わせて示すように、長円孔１５にネジ１６を通過させ、ネジ孔２４上に螺合する。
図２に示すように、光源PCBパネル２２上には、多数の発光ダイオード２２０を備え、照明具ハウジング１０上に設置する制御回路板３０と電気的に連接し、点灯、消灯の制御を行なう。
【００１２】
図２、３、６に示すように、２組の可動光源部２０の光源ベース２１凸体２３は、照明具ハウジング１０端面板１３の可動設置孔１４上に可動設置され、揺動可能となる。
ネジ１６は、端面板１３の長円孔１５位置において、ネジ孔２４と螺合し、揺動後の光源ベース２１を固定する。
図７、８、９に示すように、こうして２組の可動光源部２０の光源PCBパネル２２上の発光ダイオード２２０が投射する光は、環境や場所の必要に応じて、照明の投光角度と範囲を簡易に調整或いは設定可能となる。
【００１３】
図１、２、３に示すように、照明具ハウジング１０のメインハウジングパネル１１前後に、それぞれ延伸する側面板１２は、端面板１３上の２個の長円孔１５の設置方向に相対する。
メインハウジングパネル１１上から下へと傾斜して延伸する斜板体により、各可動光源部２０の光源ベース２１上の凸体２３は、端面板１３の可動設置孔１４に可動設置し、揺動する。
これにより、ネジ孔２４は、長円孔１５に沿って移動し、ネジ１６により、ネジ孔２４上に螺合して固定される。
【００１４】
図７、８、９に示すように、光源PCBパネル２２の投光角度の調整或いは設定を行なう時には、光源PCBパネル２２は、投射する光線を調整し、側面板１２を回避することができ、これにより、光線は阻害されることなく、外へと照射される。
しかも、各可動光源部２０の光源ベース２１両端には、それぞれ固定片２５を備える。
これにより、光源ベース２１両端のネジ孔２４は、固定片２５上にそれぞれ設置される。
【００１５】
図３、６に示すように、光源ベース２１の揺動により、固定片２５上のネジ孔２４は、長円孔１５に沿って移動するネジ１６により固定される。
こうして、光源ベース２１は、照明具ハウジング１０の側面板１２により押し出され、これにより光源ベース２１上の光源PCBパネル２２は、側面板１２と水平の状態で、多種の投光角度の調整或いは設定を行なうことができる。
【００１６】
図２に示すように、光源ベース２１両端の固定片２５上には、ネジ孔２４を設置する。
光源ベース２１両端の固定片１５間には、さらに補助ブレード２６を設置する。
図３、６に示すように、光源ベース２１が、照明具ハウジング１０の側面板１２により押し出されると、補助ブレード２６は、側面板１２の下縁を補填し、これにより光源ベース２１と側面板１２との間には、空隙が生じない。
【００１７】
図２、３に示すように、照明具ハウジング１０のメインハウジングパネル１１と、側面板１２両端には、端面板１３をそれぞれ設置する。
２枚の端面板１３は、２個の可動設置孔１４と２個の長円孔１５を相対してそれぞれ設置する。
２組の可動光源部２０の光源ベース２１両端の凸体２３を、可動設置孔１４上にそれぞれ可動設置し、これによりネジ孔２４は、長円孔１５に沿って移動し、ネジ１６により螺合されて固定される。
【００１８】
２枚の端面板１３上の２組の可動光源部２０間には、さらに、２枚の端面板１３上に固定する１組の固定光源部４０を設置する。
固定光源部４０は、照明具ハウジング１０メインハウジングパネル１１と平行な光源固定台４１により、光源固定台４１一面端の光源PCBパネル４２に設置して構成する。
しかも、光源PCBパネル４２上には、多数の発光ダイオード４２０を備え、照明具ハウジング１０上の制御回路板３０と電気的に連接し、点灯と消灯の制御を行なう。
図７、８、９に示すように、２組の可動光源部２０は、端面板１３上において、投光角度と範囲の調整或いは設定を行い、固定光源部４０は、２組の可動光源部２０の間において、投光を補強することができる。
こうして、照明具の照明の中間部分は、より明るくなる。
【００１９】
図２、３に示すように、固定光源部４０は、２枚の端面板１３上に固定する。
２枚の端面板１３上には、２個の可動設置孔１４間において、少なくとも２個の固定孔１７を相対してそれぞれ設置する。
固定孔１７により、固定光源部４０の光源固定台４１は、水平に固定される。
光源固定台４１は、２枚の端面板１３の固定孔１７上に水平に固定されるため、光源固定台４１両端は、各固定孔１７に相対して、凸嵌合体４３を備える。  
図４に合わせて示すように、凸嵌合体４３を固定孔１７に嵌合することで、光源固定台４１は、２枚の端面板１３上に簡単に固定を完成される。
【００２０】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００２１】
本考案は実用新案の要件である新規性を備え、従来の同類製品に比べ十分な進歩を有し、実用性が高く、社会のニーズに合致しており、産業上の利用価値は非常に大きい。
【符号の説明】
【００２２】
１０    照明具ハウジング
１１    メインハウジングパネル
１２    側面板
１３    端面板
１４    可動設置孔
１５    長円孔
１６    ネジ
１７    固定孔
２０    可動光源部
２１    光源ベース
２２    光源PCBパネル
２２０  発光ダイオード
２３    凸体
２４    ネジ孔
２５    固定片
２６    補助ブレード
３０    制御回路板
４０    固定光源部
４１    光源固定台
４２    光源PCBパネル
４２０  発光ダイオード
４３    凸嵌合体
【図１】
0003152852.tif 000003
【図２】
0003152852.tif 000004
【図３】
0003152852.tif 000005
【図４】
0003152852.tif 000006
【図５】
0003152852.tif 000007
【図６】
0003152852.tif 000008
【図７】
0003152852.tif 000009
【図８】
0003152852.tif 000010
【図９】
0003152852.tif 000011